(57)【要約】      （修正有）【課題】土台部分を油はねの拡散防止や防火に適した耐熱性のガラスで形成し、同時に、側壁にも耐熱性のガラスを有するキッチンユニットを提供する。【解決手段】キッチンユニット用フレームとして、キッチンシンク用の槽体を設置するための穴１１が形成された耐熱性のガラス板からなる天板１０と、上端側が天板よりも上に突出するよう天板の両端を支持固定する、耐熱性のガラス板からなる二枚の側板２０とを設ける。さらに望ましくは、天板の背面に耐熱性のガラス板からなる背面板３０を固定する。【選択図】図１
0003186425.tif 000002
【実用新案登録請求の範囲】
【請求項１】
キッチンシンク用の槽体を設置するための穴が形成された耐熱性のガラス板からなる天板と、
上端側が前記天板よりも上に突出するよう前記天板の両端を支持固定する、耐熱性のガラス板からなる二枚の側板と
を有するキッチンユニット用フレーム。
【請求項２】
前記天板の背面には耐熱性のガラス板からなる背面板が固定される請求項１に記載のキッチンユニット用フレーム。
【請求項３】
請求項１又は２に記載のキッチンユニット用フレームを用いたキッチンユニット。
【考案の詳細な説明】
【技術分野】
【０００１】
本考案は、キッチンユニットに関し、特に、耐熱性のガラスを使用するものに関する。
【背景技術】
【０００２】
キッチンユニットは、油汚れがつきやすいために、多くの場合ステンレスが用いられる。このため、ほとんどのキッチンは外観的に代わり映えがせず、デザインの多様性に乏しい。これに対して、下記特許文献１〜３には、天板をガラス板で形成したキッチンユニットが示され、下記特許文献４、５には背面板をガラス板で形成したキッチンユニットが示されている。ガラス板は耐熱性のあるものであれば、コンロ回りに使用することができ、ステンレスよりも傷がつきにくく、油汚れも落としやすいので、キッチンユニットに使用するに好適であり、ステンレス製のキッチンユニットに対して、デザイン的に大きく異なる印象を与えることができる。
【先行技術文献】
【特許文献】
【０００３】
【特許文献１】特開2009-34221号公報
【特許文献２】特開2001-11398号公報
【特許文献３】特開2001-11399号公報
【特許文献４】特開2003-265246号公報
【特許文献５】特開2010-82145号公報
【考案の概要】
【考案が解決しようとする課題】
【０００４】
ところで、キッチンユニットの側面は多くの場合開放されているが、油はねの拡散防止や防火の観点から、耐熱性のガラスで防壁を作ることが有用であると考えられる。また、上記特許文献に記載の考案は、天板や背面板等一部分のみが、ガラスで形成されるものであり、土台は従来のものと変わらず木製の箱を用いているため、デザイン的な自由度は限定的なものである。
本考案は、以上のような問題に鑑みて、土台部分を耐熱性のガラスで形成し、同時に、側壁に耐熱性のガラスを有するキッチンユニットを提供することを課題とする。
【課題を解決するための手段】
【０００５】
上記課題を解決するために、本考案は次のような構成を有する。
請求項１に記載の考案は、キッチンシンク用の槽体を設置するための穴が形成された耐熱性のガラス板からなる天板と、上端側が前記天板よりも上に突出するよう前記天板の両端を支持固定する、耐熱性のガラス板からなる二枚の側板とを有するキッチンユニット用フレームである。
請求項２に記載の考案は、前記キッチンユニット用フレームにおいて、前記天板の背面には耐熱性のガラス板からなる背面板が固定されるものである。
請求項３に記載の考案は、前記キッチンユニット用フレームを用いたキッチンユニットである。
【考案の効果】
【０００６】
以上のような構成により、本考案は次のような効果を奏する。
請求項１に記載の考案は、キッチンユニットの天板の両端を耐熱性のガラス板からなる側板で支持しつつ、側板の上端側が天板面より上に延びるので、この部分が油はねの拡散防止や防火等の機能を果たす壁面を構成する。即ち、天板横の側壁を別途土台に固定する必要がないので、構造を単純することができ、また、土台部分もガラス板により形成することで、従来のキッチンユニットに比較してデザイン的に大きく異なる印象を与えることができる。
請求項２に記載の考案は、背面板を耐火性のガラスで形成することで、背面側も油はねの拡散防止や防火に資することができ、デザイン的にも天板、側面板、背面板ともにガラスとすることで特徴のあるものとすることができる。
請求項３に記載の考案は、上述の効果を奏するキッチンユニットを得ることができる。
【図面の簡単な説明】
【０００７】
【図１】実施形態に係るキッチンユニット用フレームの正面側からみた斜視図である。
【図２】実施形態に係るキッチンユニット用フレームの背面側からみた斜視図である。
【図３】Ｌ字アングルを用いた接合部分を示す分解斜視図である。
【図４】受け金具を用いた接合部分を示す分解斜視図である。
【図５】変形例に係るキッチンユニット用フレームの斜視図である。
【考案を実施するための形態】
【０００８】
以下、本考案の実施の形態について、図面を参照しながら説明する。
図１に本実施形態に係るキッチンユニット用フレームＸの正面側からみた斜視図を示し、キッチンユニット用フレームＸの図２に背面側からみた斜視図を示す。キッチンユニット用フレームＸは天板１０、側板２０、上部背面板３０、上面板４０、中央支持板５０、下部背面板６０、棚板板７０を有する。これらを構成する板体は厚さ１０ｍｍの耐熱性の強化ガラスが用いられる。
天板１０は横幅１２００ｍｍ、奥行き６００ｍｍの板体であり、右寄りにキッチンシンク用の槽体が嵌る穴１１が形成されている。
側板２０は天板１０と同じ奥行きを有する高さ１８５０ｍｍの板体であり、天板１０の両側に設けられ、天板１０を固定する。
【０００９】
上面板４０は、両側面板２０の上端面を連結するように設けられる板体であり、両側板２０のそれぞれに固定される。上面板には、左寄りに換気扇を取り付ける穴４１と、中央と右寄りにライトを取り付ける穴４２が設けられている。
上部背面板３０は天板１０、両側板２０、上面板４０に囲まれる四角い空間に嵌る大きさを有する板体であり、これらに囲まれる範囲の背面部に位置するように、側板２０に固定される。
下部背面板６０は、天板１０と同じ横幅を有する、高さ４００ｍｍの板体であり、天板１０よりも下方において側板２０に固定される。
中央支持板５０は、天板１０の下面接合部から側板２０の下端位置までの長さに等しい高さを有する板体であり、天板１０及び下部背面板６０に固定される。
棚板７０は、中央支持板５０と側板２０までの幅を有する天板１０よりやや奥行きの狭い板体からなり、中央支持板５０の下方において、中央支持板の両側にそれぞれ設けられる。棚板７０は、側板２０及び中央支持板５０に固定される。
【００１０】
各板体の接合は、ここでは２種類の接合方法によって行われる。側板２０と上面板４０との接合、側面板２０と下部背面板６０との接合はＬアングルを用いて行われる。図３にこの接合部分の分解斜視図を示す。接合部分では、適当な位置に貫通孔Ｐ1a、Ｐ2ａを設けた各板体Ｐ1、Ｐ2を直交するように配置し、互いに直交する各面にボルト穴１０１が設けられたＬアングル１００を、貫通孔とボルト穴が一致するように内側から位置づけて、ボルト１１０と、ナット１２０とでLアングル１００と板体Ｐ1、Ｐ2とを狭持固定している。
【００１１】
天板１０と側板２０、背面板３０と側板２０、天板１０及び下部背面板６０と中央支持板５０、側板２０及び中央支持板５０と棚板７０との接合は、ガラス板が嵌る幅の断面コの字状の隙間が形成された受け金具を用いて行われる。図４にこの接合部分の分解斜視図を示す。接合部分では、一方の板体Ｐ3にボルト穴Ｐ3aを設け、断面コの字状に形成された受け部２０１を有し、開放端と反対面にねじ穴２０２が形成された受け金具２００がボルト２１０でボルト穴Ｐ3aを介して固定される。そして、他方の板体Ｐ4を受け金具２００の受け部２０１に嵌めることで板体Ｐ4は板体Ｐ3に固定される。
【００１２】
以上のような構成を有するキッチンユニット用フレームＸは、天板１０の穴１１にキッチンシンク用の蛇口付き水槽を嵌めて、穴１１の横にコンロを設置する。また、上面板４０の穴４１に換気扇ユニットを固定し、穴４２にランプを固定する。その後、必要な配線及び配管を行うことでキッチンユニットを構成することができる。
このように構成されるキッチンユニットは、フレームを構成するほぼすべてがガラス板で形成されているのでデザイン的に従来にない印象を与えることができる。また、側板２０は天板１０を支持する土台としての機能を果たすとともに、天板１０から上の部分は油や煙が拡散することを防止する隔壁としても機能するので、このような隔壁を別途土台に固定する場合に比較して構造を単純にすることができる。さらに、表裏に違いのないガラス板で形成することにより、天板１０や上面板４０はひっくり返すことで水槽の位置や換気扇の位置を簡単に左右対称に移動させることができる。
【００１３】
なお、上記実施形態では、板体同士の接合に、Ｌアングルと受け金具を用いたが、接合方法はその他の方法も適宜採用することができる。また、キッチンユニット用フレームの構造や大きさも両側板２０で天板１０を支持する構造以外を採用する限りは、適宜変更可能であり、例えば、図５に示すキッチンユニット用フレームＹのように側板２０を低くして上面板４０をなくすような構造を採用することができる。
【符号の説明】
【００１４】
Ｘ、Ｙ  キッチンユニット用フレーム
１０  天板
２０  側板
３０  上部背面板
４０  上面板
５０  中央支持板
６０  下部背面板
７０  棚板板
【図１】
0003186425.tif 000003
【図２】
0003186425.tif 000004
【図３】
0003186425.tif 000005
【図４】
0003186425.tif 000006
【図５】
0003186425.tif 000007